(57)【要約】    【課題】  斬新で且つ変化に富んだ遊技を実現して、遊技の面白味を向上させる。    【解決手段】  遊技盤１１の遊技領域１３に、第１種用の図柄表示装置１５、第１種用のゲート１７、第１種用の始動入賞装置１８、第１種用の可変入賞装置１９等で構成した第１種の遊技装置を配置する。更に、第２種用の可変入賞装置１６等で構成した第２種の遊技装置を配置すると共に、第３種用の始動入賞口２０、第３種用の可変入賞装置２１等で構成した第３種の遊技装置を配置する。そして、第１種用の図柄表示装置１５に表示された特別図柄の組み合わせが所定の大当りの組み合わせになって大当りが成立したときに、その大当り成立に対する特別遊技を上記３種類の遊技装置のうちのいずれで行うかの抽選を図柄表示装置１５を用いて行い、その抽選で決定された遊技装置で大当り成立に対する特別遊技を展開する。    【選択図】  図１
2005065843.tif 000002
【特許請求の範囲】
【請求項１】
遊技盤に異なる複数種類の遊技装置を配設したパチンコ機において、
当りが成立したか否かを判定する当り判定手段と、
前記当り判定手段で当り成立と判定されたときに、その当り成立に対する特別遊技を前記複数種類の遊技装置のうちのいずれで行うかを抽選で決定し、その抽選で決定された遊技装置で前記当り成立に対する特別遊技を展開する特別遊技制御手段と
を備えていることを特徴とするパチンコ機。
【請求項２】
前記複数種類の遊技装置は、第１種パチンコ機の特別遊技を実行する第１種の遊技装置と、第２種パチンコ機の特別遊技を実行する第２種の遊技装置と、第３種パチンコ機の特別遊技を実行する第３種の遊技装置とからなることを特徴とする請求項１に記載のパチンコ機。
【発明の詳細な説明】
【技術分野】
【０００１】
本発明は、遊技盤に異なる複数種類の遊技装置を配設したパチンコ機に関するものである。
【背景技術】
【０００２】
現行のパチンコ機の機種は、遊技盤に設けられる遊技装置の種類や遊技方式によって、主に、第１種パチンコ機、第２種パチンコ機、第３種パチンコ機の３種類に分類されている。
【０００３】
第１種パチンコ機の遊技装置は、図柄表示装置に表示された複数の図柄の組み合わせが所定の大当りの組み合わせになったときに大当りが成立し、大当り成立後の特別遊技中に大入賞口を開放してパチンコ球が入賞しやすくなるようにしている。
【０００４】
第２種パチンコ機の遊技装置は、可変入賞装置内の特定入賞口（いわゆるＶゾーン）にパチンコ球が入賞したときに大当りが成立し、大当り成立後の特別遊技中に、可変入賞装置の両側に設けた可動開閉片を連続的に開閉動作させてパチンコ球が入賞しやすくなるようにしている。
【０００５】
第３種パチンコ機の遊技装置は、特定の入賞領域にパチンコ球が入賞したとき又は図柄表示装置に表示された図柄が所定の図柄になったときに権利が発生し、権利発生後の特別遊技中に、パチンコ球が始動入賞口に入賞したときに大入賞口を開放してパチンコ球が入賞しやすくなるようにしている。
【０００６】
一般に、パチンコホールでは、遊技者の趣向に対応するために上記３種類の遊技方式のパチンコ機を設置し、遊技者はこれら３種類の遊技方式のパチンコ機の中から自分の好みに応じた遊技方式のパチンコ機を選択するようにしているが、いずれの遊技方式のパチンコ機を選択しても、同じ内容の遊技を繰り返すのみとなり、遊技が単調で飽きやすくなり、面白味に欠けるという欠点があった。
【０００７】
そこで、特許文献１（特開２００１−７９１８４号公報）に記載されているように、パチンコ機の遊技盤に、２種類の遊技方式の遊技装置を配置して、２種類の遊技を交互に展開するようにしたものがある。
【０００８】
また、特許文献２（特開２００１−１２０７４８号公報）に記載されているように、遊技盤の右側の遊技領域と左側の遊技領域に区画して、これら２つの遊技領域に２種類の遊技方式の遊技装置を配置し、遊技盤の上部に打ち込まれたパチンコ球を振分部材によって左右の遊技装置に振り分けるようにしたものがある。
【特許文献１】特開２００１−７９１８４号公報（第２頁等）
【特許文献２】特開２００１−１２０７４８号公報（第２頁等）
【発明の開示】
【発明が解決しようとする課題】
【０００９】
しかし、上記特許文献１、２のパチンコ機では、２種類の遊技方式の遊技装置を遊技盤に並設して、単純に２種類の遊技を行うようにしただけであり、個々の遊技装置で行う遊技の展開は基本的に従来と同じである。例えば、第１種パチンコ機用の遊技装置と第３種パチンコ機用の遊技装置を並設した構成の場合、第１種パチンコ機用の遊技装置で大当りが成立したときには、これと同じ遊技装置で第１種の特別遊技を展開し、第３種パチンコ機の遊技装置で権利が発生したときには、これと同じ遊技装置で第３種の特別遊技を展開するようにしている。このため、遊技客は、大当りが成立した遊技装置を見ただけで大当り成立後の遊技の展開を容易に予測できてしまい、その分、面白味が少なくなる。
【００１０】
本発明は、このような事情を考慮してなされたものであり、従って本発明の目的は、複数種類の遊技方式を融合した斬新な遊技で且つ遊技者が予測できない変化に富んだ遊技を展開することができ、遊技としての面白味を増大させることができるパチンコ機を提供することにある。
【課題を解決するための手段】
【００１１】
上記目的を達成するために、本発明の請求項１に記載のパチンコ機は、当りが成立したか否かを当り判定手段により判定し、当り成立と判定されたときに、特別遊技制御手段により、当り成立に対する特別遊技を複数種類の遊技装置のうちのいずれで行うかを抽選で決定し、その抽選で決定された遊技装置で当り成立に対する特別遊技を展開するようにしたものである。
【００１２】
この場合、当り成立に対する特別遊技を抽選で決定するため、当り成立後の遊技の展開がワンパターンにならず、当り成立後の遊技の展開が遊技者から予測できない変化に富んだものとなる。これにより、当り成立後の遊技の展開がどの様になるのか遊技者に大きな期待感を抱かせることができ、遊技としての面白味を大幅に増すことができる。
【００１３】
この場合、請求項２のように、第１種パチンコ機の特別遊技を実行する第１種の遊技装置と、第２種パチンコ機の特別遊技を実行する第２種の遊技装置と、第３種パチンコ機の特別遊技を実行する第３種の遊技装置とを遊技盤に配設するようにすると良い。このようにすれば、第１種パチンコ機の特別遊技と第２種パチンコ機の特別遊技と第３種パチンコ機の特別遊技とを全て融合した斬新な遊技で且つ遊技者が予測できない変化に富んだ遊技を展開することができる。
【発明の効果】
【００１４】
以上の説明から明らかなように、本発明によれば、複数種類の特別遊技を融合した斬新な遊技で且つ遊技者が予測できない変化に富んだ遊技を展開することができ、遊技としての面白味を増大させることができるという優れた効果を得ることができる。
【発明を実施するための最良の形態】
【００１５】
以下、本発明の一実施例を図面に基づいて説明する。まず、図１に基づいてパチンコ機の遊技盤の概略構成を説明する。パチンコ機の前面側には、遊技盤１１が取り付けられている。この遊技盤１１の前面に取り付けられたレール１２等によって、遊技盤１１の前面に、パチンコ球が転動する遊技領域１３が区画形成され、この遊技領域１３の中央部に、センター役物１４が設けられている。このセンター役物１４には、第１種用の図柄表示装置１５と第２種用の可変入賞装置１６とが設けられている。
【００１６】
センター役物１４の右側方と左側方には、それぞれ第１種用のゲート１７が設けられ、センター役物１４の下方には、第１種用の始動入賞装置１８と第１種用の可変入賞装置１９が設けられている。また、遊技領域１３の右側部には、第３種用の始動入賞口２０と第３種用の可変入賞装置２１が設けられ、これ以外の遊技領域１３の複数箇所に、通常の入賞口２２、２３が設けられている。
【００１７】
この場合、第１種用の図柄表示装置１５、第１種用のゲート１７、第１種用の始動入賞装置１８、第１種用の可変入賞装置１９等から第１種パチンコ機の特別遊技を実行する第１種の遊技装置が構成されている。また、第２種用の可変入賞装置１６等から第２種パチンコ機の特別遊技を実行する第２種の遊技装置が構成され、第３種用の始動入賞口２０と第３種用の可変入賞装置２１等から第３種パチンコ機の特別遊技を実行する第３種の遊技装置が構成されている。第１種の遊技装置と第２種の遊技装置は、それぞれ従来の第１種パチンコ機と第２種パチンコ機と同じように遊技領域１３のほぼ中央に配置され、第３種の遊技装置は、従来の第３種パチンコ機と同じように遊技領域１３の右側部に配置されている。
【００１８】
次に、図２及び図３を用いてセンター役物１４の構成を説明する。図３に示すように、センター役物１４は、第１種用の図柄表示装置１５の前方に、第２種用の可変入賞装置１６を配置した構成となっている。第１種用の図柄表示装置１５は、ＣＲＴ、液晶表示器等で構成されている。この図柄表示装置１５には、数字、絵柄等からなる複数の図柄が表示され、これらの図柄の組み合わせが所定の大当りの組み合わせになったときに大当りが成立する。
【００１９】
一方、図２に示すように、第２種用の可変入賞装置１６の両側部には、それぞれ入賞口２４が設けられ、この入賞口２４に入賞したパチンコ球は、入賞球流路２５を流下して図柄表示装置１５の下部前方に設けられたステージ２６上に流れ出るようになっている。各入賞球流路２５には、入賞口２４に入賞したパチンコ球を検出する入賞球センサ２７が設けられている。ステージ２６は、前方に向かって緩やかに下り傾斜するように設けられ、このステージ２６の中央部の前方下部に、特定入賞口２８（いわゆるＶゾーン）が設けられている。入賞球流路２５からステージ２６上に流れ出たパチンコ球は、ステージ２６から前方に転がり落ちて特定入賞口２８に入賞するか又は特定入賞口２８の側方へ落下するようになっている。
【００２０】
図３に示すように、特定入賞口２８に入賞したパチンコ球は、特定入賞球流路２９を流下した後、特定入賞口２８の側方へ落下したパチンコ球（つまり特定入賞口２８に入賞しなかったパチンコ球）と合流して遊技盤１１の裏面側へ流下するようになっている。特定入賞球流路２９には、特定入賞口２８に入賞したパチンコ球を検出する特定入賞球センサ３０が設けられている。
【００２１】
また、図２に示すように、可変入賞装置１６には、入賞口２４を開閉する可動開閉片３１と、図柄表示装置１５の前方で上下移動する可動体３２と、ステージ２６から転がり落ちたパチンコ球を左右に振り分ける球振分部材３３とが設けられている。球振分部材３３は、特定入賞口２８を挟むように特定入賞口２８の両側方に設けられている。本実施例では、可動開閉片３１が飛行機の羽根の先端部分の形状に形成され、可動体３２が飛行機の本体部と羽根の根元部分の形状に形成され、球振分部材３３がミサイルの形状に形成されている。可動開閉片３１は、モータ、電磁石等を駆動源とする駆動機構（図示せず）によって駆動されて、回転軸３１ａを中心にして可変入賞装置１６の外側に向かって回動して入賞口２４を開放する位置と、可変入賞装置１６の内側に向かって回動して入賞口２４を閉鎖する位置との間を往復移動する開閉動作を行うようになっている。
【００２２】
図３に示すように、可動体３２は、モータ３４を駆動源とする駆動機構３５によって駆動されて、図柄表示装置１５の上部前方と図柄表示装置１５の中間部前方との間を上下方向に往復移動するようになっている。この可動体３２の下方には、可動体３２と一体的に上下移動する球案内部材３６が設けられている。可動体３２の駆動機構３５には、回転体３７が設けられ、この回転体３７の回転位置を光センサ等の位置検出センサ３８で検出することで、可動体３２と球案内部材３６の移動位置を検出できるようになっている。
【００２３】
球振分部材３３は、モータ３９を駆動源とする駆動機構４０によって駆動されて、回動軸３３ａを中心にして左右方向に往復回動するようになっている。球振分部材３３の駆動機構４０には、回転体４１が設けられ、この回転体４１の回転位置を光センサ等の位置検出センサ４２で検出することで、球振分部材３３の移動位置を検出できるようになっている。
【００２４】
これらの可動体３２と球振分部材３３の動作は、図柄表示装置１５の表示画像に合わせて制御され、可動体３２と球振分部材３３で図柄表示装置１５の表示画像の補助的な演出を行うことができるようになっている。その際、可動体３２と球案内部材３６が下方に移動したときには、入賞球流路２５からステージ２６の中央部付近まで転がったパチンコ球が、球案内部材３６の存在によってステージ２６の中央部で停止しやすくなる。これにより、可動体３２と球案内部材３６が上方に移動したときに、球案内部材３６によってステージ２６の中央部で停止していたパチンコ球が、ステージ２６の中央部からそのまま前方に落下して特定入賞口２８に入賞しやすくなるようになっている。
【００２５】
また、図２に示すように、センター役物１４の両側部には、それぞれワープ入口４３が設けられ、このワープ入口４３に入ったパチンコ球は、ワープ流路４４を流下した後、ステージ４７上を転動し、センター役物１４の下部中央に設けられた出口４５からセンター役物１４の真下に落下したときは、第１種用の始動入賞装置１８の始動入賞口１８ａ（図１参照）に入賞しやすくなっている。また、ステージ４７上に流れ出たパチンコ球は、必ずしも出口４５から落下するのではなく、出口４５以外のステージ４７上から落下することもある。この場合、ステージ４７上から出口４５を経由せずに落下したパチンコ球は、出口４５を経由して落下したパチンコ球よりも始動入賞口１８ａに入賞する確率が低くなるように構成されている。
【００２６】
以上のように構成したパチンコ機、つまり、第１種の遊技装置と第２種の遊技装置と第３種の遊技装置とを遊技盤１１に配設したパチンコ機の遊技内容を説明する。
【００２７】
パチンコ機の制御回路４６（図４参照）は、特許請求の範囲でいう当り判定手段と特別遊技制御手段としての役割を次のようにして果たす。遊技盤１１を転動するパチンコ球が、第１種用のゲート１７を通過すると、第１種用の図柄表示装置１５に表示された普通図柄を変動させ、変動停止後の普通図柄が所定の当り図柄になったときに、第１種用の始動入賞装置１８の開閉片１８ｂを開いて、第１種用の始動入賞装置１８の始動入賞口１８ａにパチンコ球が入賞しやすくなるようにする。
【００２８】
そして、第１種用の始動入賞装置１８の始動入賞口１８ａにパチンコ球が入賞すると、第１種用の図柄表示装置１５に表示された３列の特別図柄を変動させ、変動停止後の特別図柄の組み合わせが所定の大当りの組み合わせになったとき（同じ図柄が横方向に３つ並んだとき）に、大当りが成立する。
【００２９】
大当り成立後、確率変動機能（大当りになる確率を高くする機能）を備えている場合には、確率変動（いわゆる確変）に入るか否かの抽選を図柄表示装置１５を用いて行う。また、時間短縮機能（普通図柄の変動時間を短くして始動入賞装置１８の開閉片１８ｂの開放時間を長くする機能）を備えている場合には、時間短縮（いわゆる時短）に入るか否かの抽選を図柄表示装置１５を用いて行う。
【００３０】
確率変動と時間短縮の確定処理を行った後、大当り成立に対する特別遊技を第１種パチンコ機の特別遊技を行う遊技装置から第３種パチンコ機の特別遊技を行う遊技装置のうちのいずれで行うかの抽選を図柄表示装置１５を用いて行う。
【００３１】
抽選の結果、第１種の遊技装置で大当り成立に対する特別遊技を行う場合には、大当り成立後の特別遊技を次のようにして行う。第１種用の可変入賞装置１９の大入賞口１９ａを開放してパチンコ球が入賞しやすくなるようにし、大入賞口１９ａに入賞したパチンコ球の数が規定個数（例えば１０個）に達したとき又は大入賞口１９ａを開放してから所定時間（例えば２０秒）が経過したときに大入賞口１９ａを閉鎖する。このような可変入賞装置１９の開放動作を１ラウンドとして、可変入賞装置１９の開放動作を所定ラウンド数（例えば１５ラウンド）を上限として繰り返すが、もし、１ラウンド中に可変入賞装置１９内の図示しない特定入賞口（いわゆるＶゾーン）にパチンコ球が１個も入賞しなかったときには、そのラウンドで可変入賞装置１９の開放動作を終了する。
【００３２】
また、第２種の遊技装置で大当り成立に対する特別遊技を行う場合には、大当り成立後の特別遊技を次のようにして行う。第２種用の可変入賞装置１６の可動開閉片３１を連続的に開閉動作させて入賞口２４を連続的に開閉してパチンコ球が入賞しやすくなるようにし、入賞口２４に入賞したパチンコ球の数が規定個数（例えば１０個）に達したとき又は可動開閉片３１の開閉回数が所定回数（例えば１８回）に達したときに可動開閉片３１の開閉動作を停止する。このような可動開閉片３１の連続開閉動作を１ラウンドとして、可動開閉片３１の連続開閉動作を所定ラウンド数（例えば８ラウンド）を上限として繰り返すが、もし、１ラウンドの途中で可変入賞装置１６内の特定入賞口２８（いわゆるＶゾーン）にパチンコ球が入賞したときには、その時点で次のラウンドに移行する。一方、１ラウンド中に可変入賞装置１６内の特定入賞口２８にパチンコ球が１個も入賞しなかったときには、そのラウンドで可動開閉片３１の連続開閉動作を終了する。
【００３３】
また、第３種の遊技装置で大当り成立に対する特別遊技を行う場合には、大当り成立後の特別遊技を次のようにして行う。第３種用の始動入賞口２０にパチンコ球が入賞すると、第３種用の可変入賞装置２１の大入賞口２１ａを開放してパチンコ球が入賞しやすくなるようにし、大入賞口２１ａに入賞したパチンコ球の数が規定個数（例えば１０個）に達したとき又は大入賞口２１ａを開放してから所定時間（例えば１０秒）が経過したときに大入賞口２１ａを閉鎖する。このような可変入賞装置２１の開放動作を１ラウンドとして、可変入賞装置２１の開放動作を所定ラウンド数（例えば１２ラウンド）を上限として繰り返す。
【００３４】
尚、確率変動中又は時間短縮中は、通常の第１種パチンコ機と同様の遊技方式で遊技を行う。つまり、第１種用の始動入賞装置１８にパチンコ球が入賞すると、図柄表示装置１５に表示された３列の特別図柄を変動させ、変動停止後の特別図柄の組み合わせが所定の大当りの組み合わせになったときに大当りが成立する。
【００３５】
以上説明した本実施例では、遊技盤１１に、第１種の遊技装置と第２種の遊技装置と第３種の遊技装置を配置して、大当り成立に対する特別遊技を第１種から第３種の遊技装置のうちのいずれで行うかを抽選で決定し、抽選で決定された遊技装置で当り成立に対する特別遊技を行うようにしたので、第１種から第３種の特別遊技を全て融合した斬新な遊技を実現することができる。しかも、大当り成立に対する特別遊技を抽選で決定するため、遊技の流れがワンパターンにならず、大当り成立後の遊技の展開が遊技者から予測できない変化に富んだものとなる。これにより、大当り成立後の遊技の展開がどの様になるのか遊技者に大きな期待感を抱かせることができ、遊技としての面白味を大幅に増すことができる。
【００３６】
しかも、本実施例では、第１種の遊技装置と第２種の遊技装置を、それぞれ従来の第１種パチンコ機と第２種パチンコ機と同じように遊技領域１３のほぼ中央に配置し、第３種の遊技装置を、従来の第３種パチンコ機と同じように遊技領域１３の右側部に配置するようにしたので、従来のパチンコ機と同じパチンコ球の打ち方、つまり、大当り成立に対する特別遊技を第１種又は第２種の遊技装置で行う場合は、パチンコ球を遊技領域１３の中央部を狙って打ち込み、一方、大当り成立に対する特別遊技を第３種の遊技装置で行う場合は、パチンコ球を遊技領域１３の右側部を狙って打ち込むという２通りの打ち方で遊技を楽しむことができ、打ち方も単調にならずに済み、遊技者を飽きさせることがない。
【００３７】
しかしながら、各遊技装置の配置構成を適宜変更しても良い。
尚、上記実施例では、第１種用の図柄表示装置１５に表示された特別図柄の組み合わせが所定の大当りの組み合わせになったときに、大当りが成立するようにしたが、これに限定されず、大当りが成立する条件は適宜変更しても良い。例えば、第２種用の可変入賞装置１６内の特定入賞口２８にパチンコ球が入賞したときに、大当りが成立するようにしても良い。或は、別個に大当り判定用の表示装置や役物を設けて、大当り判定用の表示装置や役物が所定の状態になったときに大当りが成立するようにしても良い。
【００３８】
また、大当り判定手段を複数設けて、そのうちの１つで判定条件が成立したときに大当りが成立するようにしたり、或は、大当り判定手段を複数設けて、そのうちの２つ以上で判定条件が成立したときに大当りが成立するようにしても良い。
【００３９】
また、上記実施例では、第１種用の図柄表示装置１５に特別図柄と普通図柄を表示するようにしたが、普通図柄を表示する普通図柄表示装置を第１種用の図柄表示装置１５とは別に設けるようにしても良い。
【００４０】
また、上記実施例では、大当り成立に対する特別遊技を第１種から第３種の遊技装置のうちのいずれで行うかの抽選を図柄表示装置１５を用いて行うようにしたが、大当り成立に対する特別遊技を第１種から第３種の遊技装置のうちのいずれで行うかの抽選を実施する装置を図柄表示装置１５とは別に設けるようにしても良いし、各特別遊技を行う遊技装置を順次発光させて、その発光が停止した遊技装置で大当り成立に対する特別遊技を行うようにしても良い。
【００４１】
また、上記実施例では、第１種用の可変入賞装置１９と第３種用の可変入賞装置２１を別々に設けたが、両者を１つの可変入賞装置で兼用するようにしても良い。
【００４２】
また、上記実施例では、第１種から第３種の遊技装置を全て設けるようにしたが、第１種から第３種の遊技装置のうちの２種類の遊技装置を設けるようにしても良い。また、第１種から第３種の遊技装置以外の他の遊技方式の遊技装置を２種類以上設けるようにしたり、或は、第１種から第３種の遊技装置と他の遊技装置のうちの２種類以上を設けるようにしても良い。
【００４３】
尚、遊技装置は、少なくとも第１種パチンコ機の特別遊技を実行する第１種用の可変入賞装置１９、及び第２種パチンコ機の特別遊技を実行する第２種用の可変入賞装置１６、及び第３種パチンコ機の特別遊技を実行する第３種用の始動入賞口２０と第３種用の可変入賞装置２１を含む。
【００４４】
また、上記実施例では、センター役物１４に設けたワープ入口４３に入ったパチンコ球が、ワープ流路４４を流下して出口４５からセンター役物１４の真下に落下して、第１種用の始動入賞装置１８の始動入賞口１８ａに入賞するようにしたが、この構成を第２種パチンコ機に適用して、例えば、第２種用のセンター役物に設けたワープ入口に入ったパチンコ球が、ワープ流路を流下して出口を出た後、センター役物の下方に落下して、第２種用の始動入賞口に入賞するようにしても良い。
【図面の簡単な説明】
【００４５】
【図１】本発明の一実施例におけるパチンコ機の遊技盤の正面図である。
【図２】センター役物の正面図である。
【図３】センター役物の縦断側面図である。
【図４】パチンコ機の主要部の電気的構成を示すブロック図である。
【符号の説明】
【００４６】
１１…遊技盤、１３…遊技領域、１４…センター役物、１５…第１種用の図柄表示装置（当り判定手段，特別遊技制御手段）、１６…第２種用の可変入賞装置、１７…第１種用のゲート、１８…第１種用の始動入賞装置、１９…第１種用の可変入賞装置、２０…第３種用の始動入賞口、２１…第３種用の可変入賞装置、２４…入賞口、２５…入賞球流路、２６…ステージ、２７…入賞球センサ、２８…特定入賞口、２９…特定入賞球流路、３０…特定入賞球センサ、３１…可動開閉片、３２…可動体、３３…球振分部材、３６…球案内部材、４６…制御回路
【図１】
2005065843.tif 000003
【図２】
2005065843.tif 000004
【図３】
2005065843.tif 000005
【図４】
2005065843.tif 000006